(57)【要約】  開示された実施例による薬液注入装置用エンドキャップ７００は、薬液注入装置の流路の下流側に連結され、プライミング用液体が流入するように構成される。前記エンドキャップ７００は、１より大きい屈折率（ｎｒ）を有する透明材質から形成され、９０゜未満の内角（θ）をなす第１面及び第２面を含む屈折部、及び前記第２面から離隔されて配置される表示部を含む。前記エンドキャップ７００は、流入する前記プライミング用液体が移動可能な通路を形成し、前記通路の一部は、前記第２面と前記表示部との間に位置する。  【選択図】図２
2021531896.tif 000002
【特許請求の範囲】
【請求項１】
薬液注入装置の流路の下流側に連結され、プライミング用液体が流入するように構成されるエンドキャップ（ｅｎｄ ｃａｐ）において、
１より大きい屈折率（ｎｒ）を有する透明材質から形成され、９０゜未満の内角（θ）をなす第１面及び第２面を含む屈折部、及び
前記第２面から離隔されて配置される表示部を含み、
流入する前記プライミング用液体が移動可能な通路を形成し、
前記通路の一部は、前記第２面と前記表示部との間に位置する、
薬液注入装置用エンドキャップ。
【請求項２】
請求項１のエンドキャップにおいて、
前記屈折部は、前記通路に空気が満たされた第１状態で前記表示部から始まった光が全て前記第１面に垂直な外部方向である表示方向とは異なる方向に移動し、前記通路に前記プライミング用液体が満たされた第２状態で前記表示部から始まった光のうち一部が前記表示方向に移動するように構成される、
薬液注入装置用エンドキャップ。
【請求項３】
請求項２のエンドキャップにおいて、
前記屈折部は、前記第１状態で前記第２面において全反射された光が前記表示方向に移動し、前記第２状態で前記表示部から始まった光のうち一部が前記第２面において屈折して前記表示方向に移動するように構成される、
薬液注入装置用エンドキャップ。
【請求項４】
請求項２のエンドキャップにおいて、
前記表示方向に移動する光を外部に透過させるように透明部が形成される、
薬液注入装置用エンドキャップ。
【請求項５】
請求項４のエンドキャップにおいて、
前記第１面及び前記第２面を含む屈折部の周面のうち前記透明部に対応する領域以外の領域を前記屈折部の外部方向に通過する光を遮断するか、散乱させるか、前記透明部より低い透明性で透過させるようにブラインド部が形成される、
薬液注入装置用エンドキャップ。
【請求項６】
請求項５のエンドキャップにおいて、
前記透明部は、前記第１面のうち特定領域に対応するように構成され、
前記第１面のうち前記特定領域を除いた領域を基準として、前記特定領域は、前記第１面が前記第２面と前記内角（θ）をなす方向に位置する、
薬液注入装置用エンドキャップ。
【請求項７】
請求項１のエンドキャップにおいて、
前記内角（θ）はｓｉｎ−１（１／ｎｒ）以上である、
薬液注入装置用エンドキャップ。
【請求項８】
請求項１のエンドキャップにおいて、
前記プライミング用液体は、屈折率（ｎｐ）を有する時、前記屈折率（ｎｒ）は１／ｓｉｎθ以上、且つｎｐ／ｓｉｎθ未満である、
薬液注入装置用エンドキャップ。
【請求項９】
請求項１のエンドキャップにおいて、
前記屈折率（ｎｒ）は、１／ｓｉｎθ以上、且つ１．３３３／ｓｉｎθ未満である、
薬液注入装置用エンドキャップ。
【請求項１０】
請求項１のエンドキャップにおいて、
１より大きい屈折率（ｎｒ′）を有する透明材質から形成され、前記第２面と前記表示部との間に位置し、前記第２面から離隔されて配置される補助屈折部をさらに含み、
前記通路の一部は、前記第２面と前記補助屈折部との間に位置する、
薬液注入装置用エンドキャップ。
【請求項１１】
請求項１０のエンドキャップにおいて、
前記屈折率（ｎｒ′）は、１.３３３より大きい、
薬液注入装置用エンドキャップ。
【請求項１２】
請求項１のエンドキャップにおいて、
前記流路から前記液体が流入するように構成された流入ポート及び前記通路の内部から空気が流出するように構成された流出ポートを有するケーシング部をさらに含み、
前記屈折部は、前記ケーシング部の内部に配置される、
薬液注入装置用エンドキャップ。
【請求項１３】
請求項１２のエンドキャップにおいて、
前記第１面及び前記第２面を含む屈折部の周面のうち前記第２面を除いた面は、前記ケーシング部の内側面に接触する、
薬液注入装置用エンドキャップ。
【請求項１４】
請求項１のエンドキャップにおいて、
前記第２面と前記表示部との間に位置する前記通路の一部の下流側に配置され、前記液体を吸収するように構成される液体吸収部、及び
前記液体吸収部の下流側に配置され、空気を通過させる疎水性（ｈｙｄｒｏｐｈｏｂｉｃ）のフィルタ部をさらに含む、
薬液注入装置用エンドキャップ。
【請求項１５】
薬液を加圧するように構成されたポンピングモジュール、
上流側が前記ポンピングモジュールに連結され、プライミング用液体の流れを案内するように構成される連結流路、及び
前記連結流路の下流側に連結され、前記プライミング用液体が流入するように構成されるエンドキャップを含み、
前記エンドキャップは、
１より大きい屈折率（ｎｒ）を有する透明材質から形成され、９０゜未満の内角（θ）をなす第１面及び第２面を含む屈折部、及び
前記第２面から離隔されて配置される表示部を含み、
前記エンドキャップは、流入する前記液体が移動可能な通路を形成し、
前記通路の一部は、前記第２面と前記表示部との間に位置する、
薬液注入装置セット。
【発明の詳細な説明】
【技術分野】
【０００１】
本開示は薬液の注入のための医療用装置及び薬液注入装置用エンドキャップに関するものである。
【背景技術】
【０００２】
患者に薬品を供給するために、患者に液状の薬品を注入する薬液注入装置が知られている。前記薬液注入装置を用いて、所定の貯蔵空間内にある薬液が流路を通じて移動し、患者の体内に流入する。
【０００３】
前記薬液注入装置を用いる過程で患者の体内に空気が流入することを防ぐために、カテーテル（ｃａｔｈｅｔｅｒ）または注射針などの患者に連結される部材を結合する前の状態で、薬液が移動する流路内部にプライミング（ｐｒｉｍｉｎｇ）用液体（例えば、注入しようとする薬液や食塩水など）を満たすプライミング作業が知られている。
【０００４】
このようなプライミング作業の際に、薬液が移動する流路の末端に連結され、流路内の空気の除去を補助するエンドキャップ（ｅｎｄ ｃａｐ）が知られている。エンドキャップが流路と連結された状態でプライミング用液体が流路を満たした後、エンドキャップ内部の空間を満たすことになり、この後、エンドキャップを流路と分離させ、流路に患者に連結される部材を結合して用いる。
【発明の概要】
【発明が解決しようとする課題】
【０００５】
従来は、プライミング用液体が薬液注入装置の流路を経てエンドキャップまで到達したか肉眼で確認しにくい問題があった。特に、前記プライミング用液体が透明な場合には、エンドキャップまで前記プライミング用液体が到達したか確認するにあたり、格別の注意が必要なため不便であるという問題があった。本開示の実施例は前述の従来技術の問題点を解決する。
【０００６】
従来は、前記プライミング用液体が薬液注入装置の流路を経てエンドキャップまで到達する間、医療スタッフ（医師または看護師など）がこれを持続的に見守って確認しなければならないので不便であるという問題があった。本開示の実施例は前述の従来技術の問題点を解決する。
【課題を解決するための手段】
【０００７】
本開示の一側面は、薬液注入装置の流路の下流側に連結され、プライミング用液体が流入するように構成されるエンドキャップの実施例を提供する。代表的な実施例による薬液注入装置用エンドキャップは、１より大きい屈折率（ｎｒ）を有する透明材質から形成され、９０゜未満の内角（θ）をなす第１面及び第２面を含む屈折部、及び前記第２面から離隔されて配置される表示部を含む。前記エンドキャップは、流入する前記プライミング用液体が移動可能な通路を形成する。前記通路の一部は、前記第２面と前記表示部との間に位置する。
【０００８】
前記屈折部は、前記通路に空気が満たされた第１状態で前記表示部から始まった光は全て前記第１面に垂直な外部方向である表示方向とは異なる方向に移動し、前記通路に前記プライミング用液体が満たされた第２状態で前記表示部から始まった光のうち一部が前記表示方向に移動するように構成され得る。
【０００９】
前記屈折部は、前記第１状態で前記第２面から全反射された光が前記表示方向に移動し、前記第２状態で前記表示部から始まった光のうち一部が前記第２面において屈折し、前記表示方向に移動するように構成され得る。
【００１０】
前記エンドキャップには、前記表示方向に移動する光を外部に透過させるように透明部が形成され得る。
【００１１】
前記エンドキャップには、前記第１面及び前記第２面を含む屈折部の周面のうち前記透明部に対応する領域以外の領域を前記屈折部の外部方向に通過する光を遮断したり散乱させたり前記透明部より低い透明性で透過させたりするようにブラインド部が形成され得る。
【００１２】
前記透明部は、前記第１面のうち特定領域に対応するように構成され得る。前記第１面のうち前記特定領域を除いた領域を基準として、前記特定領域は、前記第１面が前記第２面と前記内角（θ）をなす方向に位置し得る。
【００１３】
前記内角（θ）は、ｓｉｎ−１（１／ｎｒ）以上であり得る。
【００１４】
前記プライミング用液体は、屈折率（ｎｐ）を有する時、前記屈折率（ｎｒ）は１／ｓｉｎθ以上、且つｎｐ／ｓｉｎθ未満であり得る。
【００１５】
前記屈折率（ｎｒ）は、１／ｓｉｎθ以上、且つ１．３３３／ｓｉｎθ未満であり得る。
【００１６】
１より大きい屈折率（ｎｒ′）を有する透明材質から形成され、前記第２面と前記表示部との間に位置し、前記第２面から離隔されて配置される補助屈折部をさらに含み得る。前記通路の一部は、前記第２面と前記補助屈折部との間に位置し得る。
【００１７】
前記屈折率（ｎｒ′）は、１.３３３より大きくなり得る。
【００１８】
前記エンドキャップは、前記流路から前記液体が流入するように構成された流入ポート及び前記通路の内部から空気が流出するように構成された流出ポートを有するケーシング部をさらに含み得る。前記屈折部は、前記ケーシング部の内部に配置され得る。
【００１９】
前記第１面及び前記第２面を含む屈折部の周面のうち、前記第２面を除いた面は、前記ケーシング部の内側面に接触し得る。
【００２０】
前記エンドキャップは、前記第２面と前記表示部との間に位置する前記通路の一部の下流側に配置され、前記液体を吸収するように構成される液体吸収部、及び前記液体吸収部の下流側に配置され、空気を通過させる疎水性（ｈｙｄｒｏｐｈｏｂｉｃ）のフィルタ部をさらに含み得る。
【００２１】
本開示のもう１つの側面は、薬液注入装置セットの実施例を提供する。代表的な実施例による薬液注入装置セットは、薬液を加圧するように構成されたポンピングモジュール、上流側が前記ポンピングモジュールに連結され、プライミング用液体の流れを案内するように構成される連結流路、及び前記連結流路の下流側に連結され、前記プライミング用液体が流入するように構成されるエンドキャップを含む。前記エンドキャップは、１より大きい屈折率（ｎｒ）を有する透明材質から形成され、９０゜未満の内角（θ）をなす第１面及び第２面を含む屈折部、及び前記第２面から離隔されて配置される表示部を含む。前記エンドキャップは、流入する前記液体が移動可能な通路を形成する。前記通路の一部は、前記第２面と前記表示部との間に位置する。
【発明の効果】
【００２２】
本開示の実施例によれば、エンドキャップ内部にプライミング液体が流入完了したことが肉眼で容易かつ早急に分かり、医療スタッフがエンドキャップ内部へのプライミング液体の流入完了如何を確認するにあたりミス発生の可能性を顕著に下げることができる。
【００２３】
本開示の実施例によれば、肉眼でプライミング用液体の流入前と後の表示変化を確認できながらも、このような表示変化のために化学的物質反応を用いたものではなく、物理的光学性質を用いたものなので、人体に流入し得ることもある液体の汚染発生の可能性が顕著に低いという長所がある。
【図面の簡単な説明】
【００２４】
【図１】図１は、本開示の一実施例による薬液注入装置セット（１）のシステム全体を示す概念図である。
【図２】図２は、図１の一実施例によるエンドキャップ（７００）の斜視図である。
【図３】図３は、図２のエンドキャップ（７００）の分解斜視図であって、一方向から見た図面である。
【図４】図４は、図２のエンドキャップ（７００）の分解斜視図であって、図３とは異なる方向から見た図面である。
【図５】図５は、図２のエンドキャップ（７００）をラインＳ１−Ｓ１′に沿って垂直に切った断面図及び部分拡大図である。
【図６】図６は、図２のエンドキャップ（７００）をラインＳ２−Ｓ２′に沿って水平に切った断面図及び第１実施例（Ｅ１）、第２実施例（Ｅ２）及び第３実施例（Ｅ３）による部分拡大図である。
【図７Ａ】図７Ａ及び図７Ｂは、図６のエンドキャップ（７００）を観察方向（Ｖ）から見た立面図であって、図７Ａはエンドキャップ（７００）内にプライミング用液体が流入する前の状態の図面である。
【図７Ｂ】図７Ａ及び図７Ｂは、図６のエンドキャップ（７００）を観察方向（Ｖ）から見た立面図であって、図７Ｂはエンドキャップ（７００）内にプライミング用液体が満たされた状態の図面である。
【図８】図８は、図６をハッチングなしに示した断面図であって、透明部（Ｔ）及びブラインド部（Ｂ）を示す図面である。
【図９Ａ】図９Ａ〜図９Ｃは、補助屈折部（７１９）が備えられていない実施例において、屈折部（７２０）及び表示部（７３１）を水平に切った断面概念図であって、図９Ａはメイン通路部（Ｐ２）に空気が満たされた状態での光の移動経路の例示を示す。
【図９Ｂ】図９Ａ〜図９Ｃは、補助屈折部（７１９）が備えられていない実施例において、屈折部（７２０）及び表示部（７３１）を水平に切った断面概念図であって、図９Ｂはメイン通路部（Ｐ２）にプライミング用液体が満たされた状態での光の移動経路の例示を示す。
【図９Ｃ】図９Ａ〜図９Ｃは、補助屈折部（７１９）が備えられていない実施例において、屈折部（７２０）及び表示部（７３１）を水平に切った断面概念図であって、図９Ｃはメイン通路部（Ｐ２）にプライミング用液体が満たされた状態での光の移動経路の例示を示す。
【図１０】図１０は、補助屈折部（７１９）が備えられた実施例において、屈折部（７２０）、補助屈折部（７１９）及び表示部（７３１）を水平に切った断面概念図であって、光の移動経路の例示を示す。
【図１１】図１１は、他の実施例による屈折部（７２０′）を水平に切った断面概念図である。
【図１２】図１２は、更に他の実施例による屈折部（７２０″）を水平に切った断面概念図である。
【発明を実施するための形態】
【００２５】
本開示の実施例は本開示の技術的思想を説明するための目的で例示されたものである。本開示による権利範囲が以下に提示される実施例やこれら実施例に関する具体的な説明に限定されるわけではない。
【００２６】
本開示に用いられる全ての技術的用語及び科学的用語は、特に定義されない限り、本開示の属する技術分野で通常の知識を有する者に一般に理解される意味を有する。本開示に用いられる全ての用語は、本開示を更に明確に説明するための目的で選択されたものであり、本開示による権利範囲を制限するために選択されたものではない。
【００２７】
本開示で用いられる「含む」、「備える」、「有する」等のような表現は、当該表現が含まれる語句または文章で特に言及されない限り、他の実施例を含む可能性を内包する開放型用語（ｏｐｅｎ-ｅｎｄｅｄ ｔｅｒｍｓ）と理解されるべきである。
【００２８】
本開示で記述された単数型の表現は、特に言及しない限り、複数型の意味を含み得、これは請求の範囲に記載された単数型の表現にも同様に適用される。
【００２９】
本開示で用いられる「第１」、「第２」等の表現は、複数の構成要素を相互に区分するために用いられ、当該構成要素の順序または重要度を限定するわけではない。
【００３０】
本開示において、ある構成要素が他の構成要素に「連結されて」いるか、「接続されて」いると言及された場合、前記ある構成要素が前記他の構成要素に直接的に連結され得るか、接続され得るものと、または、新たな他の構成要素を媒介として連結され得るか、接続され得るものと理解されるべきである。
【００３１】
以下、添付した図面を参照して、本開示の実施例を説明する。添付の図面において、互いに異なる実施例を区分するために、図面の参照符号の後にプライム（ｐｒｉｍｅ）記号（′）または複数のプライム記号（″）を表示し得る。また、添付の図面において、同一または対応する構成要素には同一の参照符号が付与されている。また、以下の実施例の説明において、同一または対応する構成要素を重複して記述することが省略され得る。しかし、構成要素に関する記述が省略されても、そのような構成要素がある実施例に含まれないものと意図されるわけではない。
【００３２】
以下、図１を参照して、本開示の一実施例による薬液注入装置セット（１）を説明すると、次の通りである。薬液注入装置セット（１）は、薬液を加圧し、流れを案内する薬液注入装置（１００，３００）と、薬液注入装置（１００，３００）の流路（３００）に連結されるように構成されるエンドキャップ（７００）を含む。薬液注入装置（１００，３００）は、薬液を加圧するように構成されたポンピングモジュール（１００）と、薬液を案内するための連結流路（３００）を含む。ポンピングモジュール（１００）における加圧によってポンピングモジュール（１００）から流出する薬液が連結流路（３００）を通じて流れる。
【００３３】
薬液注入装置セット（１）は、連結流路（３００）上に配置されるポートモジュール（２００）を含み得る。ポートモジュール（２００）は、ポンピングモジュール（１００）内に液体（例えば、薬液または食塩水など）を充填可能に構成される。ポートモジュール（２００）を通じて流入した前記液体は、ポンピングモジュール（１００）内に流入し得る。
【００３４】
薬液注入装置セット（１）は、連結流路（３００）の少なくともいずれか１つの地点の開放如何を変更するように構成された連結管開閉モジュール（４００）を含み得る。薬液注入装置セット（１）は、連結流路（３００）内に流れる液体の異物を取り除くフィルタモジュール（５００）を含み得る。
【００３５】
薬液注入装置セット（１）は、薬液を患者に注入するための患者連結モジュール（６００，６００′）を含む。患者連結モジュール（６００，６００′）は、注射針（６１０）等の患者の体内に入り込む構成要素を含む。
【００３６】
患者連結モジュール（６００，６００′）は、「注射針（６１０）等の患者の体内に入り込む構成要素を含む入り込み部品」と「残りの部品」を含み得る。前記入り込み部品と前記残りの部品は、互いに分離可能に結合され得る。この場合、前記入り込み部品は、患者と連結されているものの、前記残りの部品と分離された状態で、使用者は、前記残りの部品を連結流路（３００）の下流側に結合させた後、前記入り込み部品と前記残りの部品を互いに結合させ得る。この場合、連結流路（３００）を経た液体は、順次、前記残りの部品と前記入り込み部品を経て、患者の体内に流入し得る。図示されていないが、更に他の実施例による患者連結モジュールは、カテーテル（Ｃａｔｈｅｔｅｒ）を含み得る。
【００３７】
本開示で用いられる「上流」及び「下流」は、ポンピングモジュール（１００）が薬液を加圧する時、連結流路（３００）及びエンドキャップ（７００）内で薬液が流れる方向を基準として定義される。具体的には、図１の矢印Ｆ２及びＦ３の矢印方向が下流方向と定義され、前記下流方向の反対方向が上流方向と定義される。
【００３８】
本開示の実施例による薬液注入装置セット（１）を用いて薬液を患者に注入する過程は、順次進行されるプライミング（Ｐｒｉｍｉｎｇ）段階及び薬液注入段階を含む。
【００３９】
「患者連結モジュール（６００，６００′）が患者から分離された状態」または「患者連結モジュール（６００，６００′）の前記入り込み部品が患者と連結されているものの、前記残りの部品が分離された状態」で、前記プライミング段階が進行される。前記プライミング段階で、連結流路（３００）の下流側の末端にエンドキャップ（７００）を連結し、プライミング用液体が連結流路（３００）に沿って流れるようにする。連結流路（３００）に沿って流れる前記プライミング用液体は、エンドキャップ（７００）内に流入し、連結流路（３００）の内部の空気はエンドキャップ（７００）を経て外部に排出される。これにより、連結流路（３００）及びエンドキャップ（７００）の内部に前記プライミング用液体が満たされる。
【００４０】
前記プライミング用液体は、連結流路（３００）内を満たすために連結流路（３００）に沿って流れ、エンドキャップ（７００）に流入する液体を意味する。前記プライミング用液体は、患者に注入しようとする薬液または薬液に代わる食塩水などであり得る。
【００４１】
空気の屈折率（ｎａ）は１である。前記プライミング用液体は、１より大きい屈折率（ｎｐ）を有する。前記プライミング用液体は、水とほぼ類似の屈折率（ｎｐ）を有する。屈折率（ｎｐ）は約１.３３３である。
【００４２】
エンドキャップ（７００）は、連結流路（３００）の下流側に連結され、前記プライミング用液体が流入するように構成される。エンドキャップ（７００）は、空気及び前記プライミング用液体が内部に流入するように構成される。エンドキャップ（７００）は、空気は外部に流出させるものの、前記プライミング用液体が外部に流出することを防ぐように構成され得る。
【００４３】
エンドキャップ（７００）に前記プライミング用液体が満たされれば、エンドキャップ（７００）を連結流路（３００）から分離させ、連結流路（３００）と患者連結モジュール（６００，６００′）を連結したり、連結流路（３００）と前記残りの部品を連結したりすることができる。その後、患者連結モジュール（６００，６００′）内の空気を排出させるために、前記プライミング用液体が患者連結モジュール（６００，６００′）の内部を満たすようにすることができる。
【００４４】
患者に患者連結モジュール（６００，６００′）を連結した後、前記薬液注入段階が進行される。前記薬液注入段階で、ポンピングモジュール（１００）における加圧によって薬液が患者の体内に流入する。前記プライミング用液体が薬液ではなく、食塩水などである場合には、前記プライミング用液体がまず患者の体内に流入し、前記プライミング用液体に次いで流れる前記薬液が患者の体内に流入し得る。
【００４５】
図１を参照して、ポンピングモジュール（１００）は、薬液を収容可能に構成されたチャンバ（１１０）を含む。チャンバ（１１０）は、加圧ユニット（１２０）とともに内部空間を形成する。前記内部空間に薬液が貯蔵され得る。他の一実施例では、前記内部空間に一時的に食塩水などが貯蔵され得る。チャンバ（１１０）には、チャンバ（１１０）内部の液体が排出される排出ポート部（１１１）が形成される。
【００４６】
ポンピングモジュール（１００）は、チャンバ（１１０）内部の液体を加圧する加圧ユニット（１２０）を含む。加圧ユニット（１２０）は、所定の加圧方向（Ａｐ１）に移動することによって、チャンバ（１１０）内部の液体を加圧することができる。チャンバ（１１０）内部に液体が充填される途中である時、加圧ユニット（１２０）は前記加圧方向（Ａｐ１）の反対方向（Ａｐ２）に移動する。図１には、１２０Ａを参照して、加圧ユニット（１２０）が前記反対方向（Ａｐ２）に移動した状態の位置が示される。
【００４７】
ポンピングモジュール（１００）は、加圧ユニット（１２０）が加圧方向（Ａｐ１）に移動するように動力を提供する加圧動作部（１３０）を含み得る。一例として、加圧動作部（１３０）は、ガス（ｇａｓ）活性（ａｃｔｉｖａｔｉｏｎ）による体積膨張を用いてチャンバ（１１０）内の液体を加圧するように構成され得る。他の例として、加圧動作部（１３０）は、使用者がつかむことができる部分を提供し、使用者の力で加圧ユニット（１２０）を前記加圧方向（Ａｐ１）に移動させることができる。
【００４８】
図示されてはいないが、他の例として、加圧ユニット（１２０）は、バルーン（ｂａｌｌｏｏｎ）等の弾性体の弾性力を用いて液体を加圧するように構成され得る。この場合、加圧ユニット（１２０）は、前記バルーン内の液体が加圧されるように構成され得る。
【００４９】
ポートモジュール（２００）を用いてチャンバ（１１０）内に液体を充填することができる。液体が外部からポートモジュール（２００）を通じて連結流路（３００）またはチャンバ（１１０）に流入し得る。ポートモジュール（２００）は連結流路（３００）に連結されるが、図示されていない他の実施例において、ポートモジュール（２００）はチャンバ（１１０）に連結されることもできる。
【００５０】
ポートモジュール（２００）は、連結流路（３００）の第１連結部（３１０）の下流側の末端に連結される第１延長部（２１０）と、連結流路（３００）の第２連結部（３２０）の上流側の末端に連結される第２延長部（２２０）を含む。ポートモジュール（２００）は、外部から液体が流入可能に構成された流入部（２３０）と、流入部（２３０）に分離可能に結合されるように構成された流入ポート開閉部（２４０）を含む。図１の矢印Ｅ１は、流入ポート開閉部（２４０）の流入部（２３０）に対する結合／分離方向を示す。
【００５１】
連結流路（３００）は、前記プライミング用液体の流れを案内するように構成される。連結流路（３００）は、ポンピングモジュール（１００）からエンドキャップ（７００）まで薬液の移動を案内し得る。連結流路（３００）の上流側の末端はポンピングモジュール（１００）に連結される。連結流路（３００）の下流側の末端はエンドキャップ（７００）に連結可能に構成される。連結流路（３００）の下流側の末端は患者連結モジュール（６００，６００′）に連結可能に構成される。
【００５２】
連結流路（３００）の上流側がポンピングモジュール（１００）に連結される。連結流路（３００）は、排出ポート部（１１１）に連結される上流連結部（３５０）を含む。
【００５３】
連結流路（３００）の下流側がエンドキャップ（７００）に連結され得る。連結流路（３００）は、エンドキャップ（７００）に連結される下流連結部（３６０）を含む。下流連結部（３６０）は、エンドキャップ（７００）と分離され、患者連結モジュール（６００，６００′）に連結され得る。
【００５４】
連結流路（３００）は、上流連結部（３５０）とポートモジュール（２００）の第１延長部（２１０）を連結する第１連結部（３１０）を含む。連結流路（３００）は、ポートモジュール（２００）の第２延長部（２２０）とフィルタモジュール（５００）を連結する第２連結部（３２０）を含む。連結流路（３００）は、フィルタモジュール（５００）と下流連結部（３６０）を連結する第３連結部（３３０）を含む。
【００５５】
少なくとも１つの連結管開閉モジュール（４００）が構成され得る。連結管開閉モジュール（４００）は、連結流路（３００）の外部を押して連結流路（３００）中の一地点の液体の流れを止め得る。連結管開閉モジュール（４００）は、第１連結部（３１０）の一地点（Ｂ１）の開放如何を変更できる第１開閉モジュール（４１０）と、第２連結部（３２０）の一地点（Ｂ２）の開放如何を変更できる第２開閉モジュール（４２０）を含み得る。例えば、連結管開閉モジュール（４００）はクランプ（ｃｌａｍｐ）形状に構成され得る。
【００５６】
フィルタモジュール（５００）は、連結流路（３００）上に配置され得る。フィルタモジュール（５００）は、連結流路（３００）と連結されるフィルタケーシング（５１０）と、フィルタケーシング（５１０）内に配置されるフィルタ（５２０）を含み得る。
【００５７】
患者連結モジュール（６００，６００′）は、下流連結部（３６０）に連結可能に構成される。連結流路（３００）の内部を通過した液体は、患者連結モジュール（６００，６００′）に移動し、患者の体内に流入し得る。
【００５８】
患者連結モジュール（６００，６００′）は、患者の皮膚に侵襲可能に構成された注射針（６１０）を含み得る。患者連結モジュール（６００，６００′）は、注射針（６１０）を支持する注射支持部（６２０）を含む。
【００５９】
患者連結モジュール（６００，６００′）は、連結流路（３００）の下流連結部（３６０）と結合されるモジュール結合部（６３０）を含む。図１の矢印Ｃ２は、モジュール結合部（６３０）の下流連結部（３６０）に対する結合／分離方向を示す。
【００６０】
一実施例による患者連結モジュール（６００）は、注射針（６１０）、注射支持部（６２０）及びモジュール結合部（６３０）が順次連結されて構成され得る。他の実施例による患者連結モジュール（６００′）は、モジュール結合部（６３０）の下流側に連結される患者連結管固定部（６５０′）をさらに含む。患者連結モジュール（６００′）は、患者連結管固定部（６５０′）と注射支持部（６２０）を連結する患者連結管（６４０′）をさらに含む。患者連結管（６４０′）は、フレキシブル（ｆｌｅｘｉｂｌｅ）な材質で形成され得る。例えば、前記入り込み部品は注射針（６１０）及び注射支持部（６２０）で構成され、前記残りの部品はモジュール結合部（６３０）、患者連結管固定部（６５０′）及び患者連結管（６４０′）で構成され得る。
【００６１】
一実施例によるプライミング段階及び薬液注入段階を説明すると、次の通りである。一実施例によるプライミング段階では、前記プライミング用液体として薬液ではなく、食塩水などを用いる。一実施例によるプライミング段階で、エンドキャップ（７００）を連結流路（３００）の下流連結部（３６０）と連結し、流入ポート開閉部（２４０）を流入部（２３０）から分離し、第１連結管開閉モジュール（４１０）で第１連結部（３１０）を遮断し（Ｂ１参照）、第１連結部（３１０）を除いた連結流路（３００）の残りの部分は開放する。矢印Ｆ１及びＦ３を参照して、食塩水などのプライミング用液体は、流入部（２３０）、第２延長部（２２０）、第２連結部（３２０）、第３連結部（３３０）及びエンドキャップ（７００）を順次流れることによって、連結流路（３００）及びエンドキャップ（７００）の内部が前記プライミング用液体で満たされる。
【００６２】
一実施例によるプライミング段階の後、一実施例による薬液注入段階が進行される。一実施例による薬液注入段階で、連結流路（３００）の下流連結部（３６０）にエンドキャップ（７００）の代わりに患者連結モジュール（６００，６００′）を連結し、流入ポート開閉部（２４０）を流入部（２３０）から分離し、第２連結管開閉モジュール（４２０）で第２連結部（３２０）を遮断し、第１連結管開閉モジュール（４１０）を第１連結部（３１０）から分離して第１連結部（３１０）を開放する。矢印Ｆ０を参照して、薬液がポートモジュール（２００）及び第１連結部（３１０）を経てチャンバ（１１０）内に流入し、加圧ユニット（１２０）は前記方向（Ａｐ２）に移動する。その後、流入ポート開閉部（２４０）を流入部（２３０）に結合させ、第２連結管開閉モジュール（４２０）を第２連結部（３２０）から分離して連結流路（３００）を開放状態にする。矢印Ｆ２及びＦ３を参照して、その後、加圧ユニット（１２０）を前記加圧方向（Ａｐ１）に移動させ、薬液が連結流路（３００）及び患者連結モジュール（６００，６００′）を順次通過することができる。
【００６３】
他の実施例によるプライミング段階及び薬液注入段階を説明すると、次の通りである。他の実施例によるプライミング段階では、前記プライミング用液体として薬液を用いる。他の実施例によるプライミング段階で、チャンバ（１１０）内に薬液を満たし、エンドキャップ（７００）を連結流路（３００）の下流連結部（３６０）と連結し、流入ポート開閉部（２４０）で流入部（２３０）を遮断し、連結管開閉モジュール（４００）を連結流路（３００）から分離して連結流路（３００）を開放状態にする。矢印Ｆ２及びＦ３を参照して、その後、加圧ユニット（１２０）を前記加圧方向（Ａｐ１）に移動させ、プライミング用液体である薬液が連結流路（３００）及びエンドキャップ（７００）を順次流れることによって、連結流路（３００）及びエンドキャップ（７００）の内部が前記プライミング用液体で満たされる。
【００６４】
他の実施例によるプライミング段階の後、他の実施例による薬液注入段階が進行される。他の実施例による薬液注入段階で、連結流路（３００）の下流連結部（３６０）にエンドキャップ（７００）の代わりに患者連結モジュール（６００，６００′）を連結する。矢印Ｆ２及びＦ３を参照して、その後、加圧ユニット（１２０）を前記加圧方向（Ａｐ１）にさらに移動させ、薬液が連結流路（３００）及び患者連結モジュール（６００，６００′）を順次通過することができる。
【００６５】
図２は、図１の一実施例によるエンドキャップ（７００）の斜視図である。図２を参照して、薬液注入装置用エンドキャップ（７００）を説明すると、次の通りである。
【００６６】
エンドキャップ（７００）は、連結流路（３００）と連結されるボディー部（７１０）を含む。ボディー部（７１０）は外観を形成し得る。ボディー部（７１０）は全体的に三角柱状であり得る。ボディー部（７１０）は、互いに結合するハウジング部材（７１０Ａ）とキャップ部材（７１０Ｂ）を含み得る。ハウジング部材（７１０Ａ）は上流側に位置し、キャップ部材（７１０Ｂ）は下流側に位置する。
【００６７】
ハウジング部材（７１０Ａ）の流入ポート（ｐｏｒｔ）（７１１ｂ）を通じて前記プライミング用液体がエンドキャップ（７００）の内部に流入し得る。ハウジング部材（７１０Ａ）は、後述の表示方向（Ｄ）を見る第１側面部（７１１ｅ１）を含み得る。
【００６８】
キャップ部材（７１０Ｂ）の流出ポート（ｐｏｒｔ）（７１１ｂ）を通じてエンドキャップ（７００）の内部の空気がエンドキャップ（７００）の外部に流出し得る。キャップ部材（７１０Ｂ）は、下流方向を見る下流側面（７１１ｃ）を含み得る。
【００６９】
図３及び図４は、図２のエンドキャップ（７００）の分解斜視図であって、互いに異なる方向から見た図面である。図３及び図４を参照して、エンドキャップ（７００）の構成を詳しく説明すると、次の通りである。エンドキャップ（７００）は、ボディー部（７１０）、屈折部（７２０）、表示部材（７３０）、液体吸収部（７４０）及びフィルタ部（７５０）を含み得る。
【００７０】
ボディー部（７１０）は、外観を形成するケーシング部（７１１）を含む。本実施例において、ケーシング部（７１１）はキャップ部材（７１０Ｂ）の一部及びハウジング部材（７１０Ａ）の一部で構成されるが、ケーシング部（７１１）が構成される方式は制限される必要がない。
【００７１】
ケーシング部（７１１）は、連結流路（３００）から前記プライミング用液体が流入するように構成された流入ポート（７１１ａ）を含む。流入ポート（７１１ａ）は、内部の空間と連結されるホールを形成する。流入ポート（７１１ａ）は、ケーシング部（７１１）の上流側面（７１１ｃ）から上流方向に突出するように形成され得る。流入ポート（７１１ａ）は、連結流路（３００）の下流側の末端と結合されるためのスクリュ形状の突起を形成し得る。
【００７２】
ケーシング部（７１１）は、エンドキャップ（７００）の内部から空気が流出するように構成された流出ポート（７１１ｂ）を含む。流出ポート（７１１ｂ）は、ケーシング部（７１１）の下流側面（７１１ｄ）に形成され得る。流出ポート（７１１ｂ）は、ケーシング部（７１１）の下流側面（７１１ｄ）を貫く複数のホールを形成し得る。
【００７３】
ケーシング部（７１１）の外表面は、上流側面（７１１ｃ）、下流側面（７１１ｄ）及び周側面（７１１ｅ）を含む。上流側面（７１１ｃ）は上流方向を見て、下流側面（７１１ｄ）は下流方向を見る。周側面（７１１ｅ）は、上下流方向を中心とした周りを取り囲む面である。周側面（７１１ｅ）は、上流側面（７１１ｃ）と下流側面（７１１ｄ）との間を連結して配置される。
【００７４】
周側面（７１１ｅ）は、屈折部（７２０）の第１面（７２１ａ）に対応する第１側面部（７１１ｅ１）を含み得る。第１側面部（７１１ｅ１）の内側面は、第１面（７２１ａ）と向かい合う。第１側面部（７１１ｅ１）の内側面は、第１面（７２１ａ）と接触し得る。
【００７５】
周側面（７１１ｅ）は、屈折部（７２０）の第２面（７２１ｂ）に対応する第２側面部（７１１ｅ２）を含み得る。第２側面部（７１１ｅ２）の内側面は第２面（７２１ｂ）と向かい合う。第２側面部（７１１ｅ２）の内側面の少なくとも一部は第２面（７２１ｂ）と離隔される。
【００７６】
周側面（７１１ｅ）は、屈折部（７２０）の第３面（７２１ｃ）に対応する第３側面部（７１１ｅ３）を含み得る。第３側面部（７１１ｅ３）の内側面は第３面（７２１ｃ）と向かい合う。第３側面部（７１１ｅ３）の内側面は第３面（７２１ｃ）と接触し得る。
【００７７】
ボディー部（７１０）は、屈折部（７２０）が位置する配置空間（７１０ｓ）を形成する。ハウジング部材（７１０Ａ）が形成する配置空間（７１０ｓ）は、上流側に陥没して形成され得る。配置空間（７１０ｓ）に屈折部（７２０）が配置された状態でキャップ部材（７１０Ｂ）が配置空間（７１０ｓ）の下流側を覆い得る。
【００７８】
ボディー部（７１０）は、表示部（７３１）が位置する挿入ホール（７１０ｈ）を形成し得る。ハウジング部材（７１０Ａ）が形成する挿入ホール（７１０ｈ）は上流側に陥没して形成され得る。挿入ホール（７１０ｈ）に表示部（７３１）が配置された状態でキャップ部材（７１０Ｂ）が挿入ホール（７１０ｈ）の下流側を覆い得る。
【００７９】
ボディー部（７１０）は、フィルタ部（７５０）が安着するフィルタ安着部（７１３）を含み得る。フィルタ安着部（７１３）は下流側面（７１１ｄ）の内側面に位置し得る。フィルタ安着部（７１３）に流出ポート（７１１ｂ）のホールが形成される。フィルタ安着部（７１３）はフィルタ部（７５０）の周りの位置を案内するリブを含み得る。
【００８０】
ボディー部（７１０）は液体吸収部（７４０）をフィルタ部（７５０）から離隔させる間隔維持部（７１４）を含み得る。間隔維持部（７１４）は下流側面（７１１ｄ）の内側面から上流方向に突出して形成され得る。間隔維持部（７１４）はリブ（ｒｉｂ）形状に形成され得る。間隔維持部（７１４）の上流側の末端が液体吸収部（７４０）に接触することによって液体吸収部（７４０）の下流方向の位置移動を制限し得る。
【００８１】
ボディー部（７１０）は補助屈折部（７１９）をさらに含み得る。補助屈折部（７１９）はハウジング部材（Ａ１）に一体に形成され得る。補助屈折部（７１９）は配置空間（７１０ｓ）と挿入ホール（７１０ｈ）との間に配置される。補助屈折部（７１９）は屈折部（７２０）と表示部（７３１）との間に配置される。補助屈折部（７１９）は光を透過させる透明材質から形成される。本実施例によるエンドキャップ（７００）は、補助屈折部（７１９）を含むが、後述するように補助屈折部（７１９）を含まない実施例も実現可能である。
【００８２】
屈折部（７２０）は、１より大きい屈折率（ｎｒ）を有する透明材質から形成される。屈折部（７２０）は、前記プライミング用液体の屈折率（ｎｐ）より大きい屈折率（ｎｒ）を有する透明材質から形成されることもできるが（図９Ｂ参照）、屈折率（ｎｐ）以下の屈折率（ｎｒ）を有する透明材質から形成されることもできる（図９Ｃ参照）。
【００８３】
屈折部（７２０）は全体的に三角柱状で形成され得る。例えば、屈折部（７２０）はプリズム（ｐｒｉｓｍ）であり得る。
【００８４】
屈折部（７２０）はケーシング部（７１１）に配置される。屈折部（７２０）はケーシング部（７１１）の内部に配置され得る。屈折部（７２０）は上流方向に流入ポート（７１１ａ）と向かい合い得る。屈折部（７２０）は下流方向に流出ポート（７１１ｂ）と向かい合い得る。
【００８５】
屈折部（７２０）の外表面は、上流面（７２５）、下流面（７２３）及び周面（７２１）を含む。上流面（７２５）は上流方向を見て、下流面（７２３）は下流方向を見る。周面（７２１）は上下流方向を中心とした周りを取り囲む面である。周面（７２１）は上流面（７２５）と下流面（７２３）との間を連結して配置される。
【００８６】
周面（７２１）は、９０゜未満の内角（θ）をなす第１面（７２１ａ）及び第２面（７２１ｂ）を含む。第１面（７２１ａ）及び第２面（７２１ｂ）はそれぞれ平面を形成する。
【００８７】
周面（７２１）は、第１面（７２１ａ）及び第２面（７２１ｂ）と異なる方向を見る第３面（７２１ｃ）をさらに含み得る。第３面（７２１ｃ）は周面（７２１）のうち第１面（７２１ａ）及び第２面（７２１ｂ）を除いた面であり得る。第３面（７２１ｃ）は平面を形成し得る。周面（７２１）は、第１面（７２１ａ）、第２面（７２１ｂ）及び第３面のみで構成されることもできるが、周面（７２１）は３つを超える面で構成されることもでき、周面（７２１）は曲面を含むこともできる。
【００８８】
本実施例において、屈折部（７２０）はＡＢＳ（Ａｃｒｙｌｏｎｉｔｒｉｌｅ Ｂｕｔａｄｉｅｎｅ Ｓｔｙｒｅｎｅ）樹脂材質から形成される。本実施例において、屈折部（７２０）の屈折率（ｎｒ）は約１.５１８である。屈折部（７２０）の屈折率（ｎｒ）が１.５１８であり、前記プライミング用液体の屈折率（ｎｐ）が１.３３３である場合、内角（θ）は４１.２゜以上、且つ６１.４゜未満であり得る。
【００８９】
本実施例において、内角（θ）は６０゜である。内角（θ）は６０゜であり、前記プライミング用液体の屈折率（ｎｐ）が１.３３３である場合、屈折部（７２０）の屈折率（ｎｒ）は１.１５５以上、且つ１.５３９未満であり得る。
【００９０】
表示部材（７３０）はボディー部（７１０）と結合され得る。表示部材（７３０）はケーシング部（７１１）の内部に配置される。表示部材（７３０）は全体的に上下流方向に長く形成され得る。
【００９１】
表示部材（７３０）は、第２面（７２１ｂ）と向かい合って離隔された表示部（７３１）を含む。表示部（７３１）は不透明に構成され得る。表示部（７３１）は表示部（７３１）の周辺の色と異なる色を有し得る。本実施例において、表示部（７３１）は、別途の部材である表示部材（７３０）の一部として構成されるが、図示されていない他の実施例において、ボディー部（７１０）の第２面（７２１ｂ）と向かい合う内側面に色をつけたもの等で代えることもできる。
【００９２】
表示部材（７３０）はボディー部（７１０）に係止される係止部（７３３）を含み得る。係止部（７３３）は表示部（７３１）の下流側の末端に配置され得る。係止部（７３３）は補助屈折部（７１９）の下流側の末端に接触して係止され得る。係止部（７３３）は表示部（７３１）より内側に突出して形成され得る。
【００９３】
液体吸収部（７４０）は前記プライミング用液体を吸収するように構成される。液体吸収部（７４０）は、前記プライミング用液体を吸収しながら、空気の通過を補助する。液体吸収部（７４０）はスポンジ（Ｓｐｏｎｇｅ）形状であり得る。液体吸収部（７４０）は屈折部（７２０）の下流側に配置され得る。液体吸収部（７４０）はフィルタ部（７５０）の上流側に配置され得る。液体吸収部（７４０）が前記プライミング用液体を吸収することによって、前記プライミング用液体がフィルタ部（７５０）に接触して液体膜を形成し、空気の排出を妨害する現象を防ぐことができる。
【００９４】
空気を通過させる疎水性（ｈｙｄｒｏｐｈｏｂｉｃ）のフィルタ部（７５０）を構成し得る。フィルタ部（７５０）は前記プライミング用液体の通過を防ぐ。フィルタ部（７５０）は液体吸収部（７４０）の下流側に配置される。フィルタ部（７５０）はケーシング部（７１１）の内側面に固定され得る。具体的には、フィルタ部（７５０）は超音波接着またはその他の接着方法を通じてフィルタ安着部（７１３）に固定され得る。
【００９５】
エンドキャップ（７００）は、逆流を防止するチェックバルブ（図示せず）をさらに含み得る。前記チェックバルブは、エンドキャップ（７００）内部に流入した前記プライミング用液体が流入ポート（７１１ａ）を通じて流出することを防止する機能を有する。前記チェックバルブは、流入ポート（７１１ａ）の内部に配置され得る。
【００９６】
図５は、図２のエンドキャップ（７００）をラインＳ１−Ｓ１′に沿って垂直に切った断面図及び部分拡大図である。図５を参照して、エンドキャップ（７００）の内部の姿及び通路を説明すると、次の通りである。
【００９７】
エンドキャップ（７００）は、流入する前記プライミング用液体が移動可能な通路を形成する。流入ポート（７１１ａ）は、前記通路の内部に前記プライミング用液体が流入するように構成される。流出ポート（７１１ｂ）は、前記通路の内部から空気が流出するように構成される。
【００９８】
表示部（７３１）は、屈折部（７２０）の第２面（７２１ｂ）から離隔されて配置される。前記通路の一部は、第２面（７２１ｂ）と表示部（７３１）との間に位置する。前記通路は、流入ポート（７１１ａ）から第２面（７２１ｂ）及び表示部（７３１）の間の空間に連結されるように構成される。前記通路は、第２面（７２１ｂ）及び表示部（７３１）の間の空間から液体吸収部（７４０）に連結されるように構成される。
【００９９】
前記通路は、第２面（７２１ｂ）及び表示部（７３１）の間に位置するメイン通路部（Ｐ２）を含む。図５において、メイン通路部（Ｐ２）は第２面（７２１ｂ）と補助屈折部（７１９）との間の間隙であり得るが、補助屈折部（７１９）が備えられていない実施例において、メイン通路部（Ｐ２）は第２面（７２１ｂ）と表示部（７３１）との間の間隙であり得る。前記プライミング用液体は、メイン通路部（Ｐ２）に沿って屈折部（７２０）の上流側から下流側に移動することができる。
【０１００】
前記通路は、流入ポート（７１１ａ）を通じて流入した前記プライミング用液体をメイン通路部（Ｐ２）に案内する上流通路部（Ｐ１）を含む（図５の矢印Ｆ参照）。前記通路は、メイン通路部（Ｐ２）を経た前記プライミング用液体を液体吸収部（７４０）に案内する下流通路部（Ｐ４）を含む。
【０１０１】
前記通路は、第２面（７２１ｂ）及び表示部（７３１）の間に位置し、メイン通路部（Ｐ２）と別に構成される補助通路部（Ｐ３）をさらに含み得る。補助通路部（Ｐ３）は、補助屈折部（７１９）と表示部（７３１）との間の間隙であり得る。前記プライミング用液体は、上流通路部（Ｐ１）を通じてメイン通路部（Ｐ２）及び補助通路部（Ｐ３）に分離されて流れ得る。図５においては、補助通路部（Ｐ３）が構成されるが、補助屈折部（７１９）と表示部（７３１）が接触する他の実施例または補助屈折部（７１９）が備えられていない更に他の実施例において、補助通路部（Ｐ３）が構成されないことも可能である。
【０１０２】
液体吸収部（７４０）は、第２面（７２１ｂ）と表示部（７３１）との間に位置する前記通路の一部（メイン通路部（Ｐ２））の下流側に配置される。液体吸収部（７４０）は、屈折部（７２０）と間隔維持部（７１４）との間に挟まって配置され得る。
【０１０３】
図６は、図２のエンドキャップ（７００）をラインＳ２−Ｓ２′に沿って水平に切った断面図及び第１実施例（Ｅ１）、第２実施例（Ｅ２）及び第３実施例（Ｅ３）による部分拡大図である。図６を参照して、本開示を説明するために、第１面（７２１ａ）に垂直な外部方向を「表示方向（Ｄ）」と定義し、表示方向（Ｄ）の反対方向を「観察方向（Ｖ）」と定義し得る。また、観察方向（Ｖ）に見る状態で第１面（７２１ａ）が第２面（７２１ｂ）と内角（θ）をなす方向を「右側方向（Ｒ）」と定義し、右側方向（Ｒ）の反対方向を「左側方向（Ｌ）」と定義し得る。
【０１０４】
第１実施例（Ｅ１）において、エンドキャップ（７００）は補助屈折部（７１９）を含み、メイン通路部（Ｐ２）及び補助通路部（Ｐ３）を形成する。第２面（７２１ｂ）と表示部（７３１）との間に補助屈折部（７１９）が配置され、第２面（７２１ｂ）と補助屈折部（７１９）が離隔され、補助屈折部（７１９）と表示部（７３１）が離隔される。
【０１０５】
第２実施例（Ｅ２）において、エンドキャップ（７００）は補助屈折部（７１９）を含み、メイン通路部（Ｐ２）を形成するが、補助通路部（Ｐ３）を形成しない。第２面（７２１ｂ）と表示部（７３１）との間に補助屈折部（７１９）が配置され、第２面（７２１ｂ）と補助屈折部（７１９）が離隔され、補助屈折部（７１９）と表示部（７３１）が接触する。
【０１０６】
第３実施例（Ｅ３）において、エンドキャップ（７００）は補助屈折部（７１９）を含まず、メイン通路部（Ｐ２）を形成し、補助通路部（Ｐ３）を形成しない。第２面（７２１ｂ）と表示部（７３１）との間にメイン通路部（Ｐ２）が配置される。
【０１０７】
また、第１面（７２１ａ）及び第２面（７２１ｂ）を含む屈折部（７２０）の周面（７２１）のうち第２面（７２１ｂ）を除いた面（７１１ｅ１，７１１ｅ３）はケーシング部（７１１）の内側面に接触する。第１面（７２１ａ）はケーシング部（７１１）の第１側面部（７１１ｅ１）に接触し得る。第３面（７２１ｃ）はケーシング部（７１１）の第３側面部（７１１ｅ３）に接触し得る。第２面（７２１ｂ）はケーシング部（７１１）の第２側面部（７１１ｅ２）から離隔され、補助屈折部（７１９）が備えられた実施例において、第２面（７２１ｂ）は第２側面部（７１１ｅ２）及び補助屈折部（７１９）から離隔される。これを通じて、前記プライミング用液体が表示部（７３１）と第２面との間の空間に集中して流れるようにすることができる。
【０１０８】
図７Ａ及び図７Ｂは、図６のエンドキャップ（７００）を観察方向（Ｖ）に見た立面図であって、図７Ａはエンドキャップ（７００）内に前記プライミング用液体が流入する前である「第１状態」の図面であり、図７Ｂはエンドキャップ（７００）内に前記プライミング用液体が満たされた後である「第２状態」の図面である。前記第１状態で前記通路に空気が満たされる。前記第２状態で前記通路に前記プライミング用液体が満たされる。
【０１０９】
図７Ａを参照して、屈折部（７２０）は前記第１状態で表示部（７３１）から始まった光が全て表示方向（Ｄ）とは異なる方向に移動するように構成される。即ち、前記第１状態で表示部（７３１）から始まった光が全て表示方向（Ｄ）に移動しない。これにより、観察方向（Ｖ）に見る時、透明部（Ｔ）を通じて表示部（７３１）の像（ｉｍａｇｅ）が見えない。前記第１状態では観察方向（Ｖ）に見る時、第２面（７２１ｂ）に全反射された像が透明部（Ｔ）に見え得る。
【０１１０】
図７Ｂを参照して、屈折部（７２０）は前記第２状態で表示部（７３１）から始まった光のうち一部が表示方向（Ｄ）に移動するように構成される。即ち、表示部（７３１）から始まった光のうち所定角度に発散された光が第２面（７２１ｂ）で屈折し、表示方向（Ｄ）に移動する。これにより、観察方向（Ｖ）に見る時、透明部（Ｔ）を通じて表示部（７３１）の像（Ｉｍ）が見える。
【０１１１】
図８は、図６をハッチングなしに示した断面図であって、透明部（Ｔ）及びブラインド部（Ｂ）を示す図面である。矢印Ｌ０、Ｌ１、Ｌ２及びＬ３は、光の移動方向を示すものであって、矢印に「Ｘ」表示されたものは、ブラインド部（Ｂ）により光の移動が干渉を受けることを意味する。
【０１１２】
図８を参照して、表示方向（Ｄ）に移動する光（Ｌ０）を外部に透過させるように透明部（Ｔ）が形成される。具体的には、透明部（Ｔ）に対応する第１面（７２１ａ）の特定領域（７２１Ｔ）は、表面がなめらかに形成され得、透明部（Ｔ）に対応する周側面（７１１ｅ）の一部領域は透明に形成され得る。光（Ｌ０）が透明部（Ｔ）を通じて透過し、観察方向（Ｖ）で前記光（Ｌ０）による像（ｉｍａｇｅ）を観察することができる。
【０１１３】
第１面（７２１ａ）及び第２面（７２１ｂ）を含む周面（７２１）のうち透明部（Ｔ）に対応する領域（７２１Ｔ）以外の領域（７２１ａＢ，７２１ｂＢ，７２１ｃＢ）を屈折部（７２０）の外部方向に通過する光を干渉するブラインド部（Ｂ）が形成される。ここで、ブラインド部（Ｂ）が光を干渉するということは、光を遮断するか、光を散乱させるか、透明部（Ｔ）より低い透明性で透過させることであり得る。
【０１１４】
一例として、ブラインド部（Ｂ）はケーシング部（７１１）または屈折部（７２０）に付着されるテープ（ｔａｐｅ）等の別途の部材を含み得る。前記別途の部材は不透明または透明部（Ｔ）より低い透明性を有する材質から形成され得る。
【０１１５】
他の例として、ブラインド部（Ｂ）はケーシング部（７１１）または屈折部（７２０）に塗られる別途の塗装面を含み得る。前記別途の塗装面は不透明または透明部（Ｔ）より低い透明性を有する材質から形成され得る。
【０１１６】
更に他の例として、ブラインド部（Ｂ）はケーシング部（７１１）の表面または屈折部（７２０）の表面を腐食処理して形成され得る。更に他の例として、ブラインド部（Ｂ）は不透明な材質または透明部（Ｔ）より低い透明性を有する材質から形成されたケーシング部（７１１）の一部を含み得る。
【０１１７】
前記のようにブラインド部（Ｂ）は多様な方式またはこれらの組合わせで構成され得る。ただし、第２面（７２１ｂ）に対応するブラインド部（Ｂ）はケーシング部（７１１）に配置され、第２面（７２１ｂ）は光を透過させるように構成されることが望ましい。
【０１１８】
透明部（Ｔ）は、第１面（７２１ａ）のうち特定領域（７２１Ｔ）に対応するように構成される。ブラインド部（Ｂ）は、屈折部（７２０）の周側面（７１１ｅ）のうち特定領域（７２１Ｔ）を除いた遮蔽領域（７２１ａＢ，７２１ｂＢ，７２１ｃＢ）に対応するように構成される。遮蔽領域（７２１ａＢ，７２１ｂＢ，７２１ｃＢ）は、第１面（７２１ａ）に位置した遮蔽領域（７２１ａＢ）と、第２面（７２１ｂ）に位置した遮蔽領域（７２１ｂＢ）を含み得る。遮蔽領域（７２１ａＢ，７２１ｂＢ，７２１ｃＢ）は、第３面（７２１ｃ）に位置した遮蔽領域（７２１ｃＢ）をさらに含み得る。ブラインド部（Ｂ）は、光（Ｌ１）が遮蔽領域（７２１ａＢ）を透過して外部に移動することを干渉し、光（Ｌ２）が遮蔽領域（７２１ｂＢ）を透過して外部に移動することを干渉し、光（Ｌ３）が遮蔽領域（７２１ｃＢ）を透過して外部に移動することを干渉する。
【０１１９】
特定領域（７２１Ｔ）は、周面（７２１）のうち第１面（７２１ａ）のみに位置するように構成され得る。この場合、第２面（７２１ｂ）全体が遮蔽領域（７２１ｂＢ）となり、第３面（７２１ｃ）全体が遮蔽領域（７２１ｃＢ）となる。
【０１２０】
第１面（７２１ａ）のうち特定領域（７２１Ｔ）を除いた領域（７２１ａＢ）を基準として、特定領域（７２１Ｔ）は第１面（７２１ａ）が第２面（７２１ｂ）と内角（θ）をなす方向に位置し得る。即ち、特定領域（７２１Ｔ）は遮蔽領域（７２１ａＢ）の右側方向（Ｒ）に位置し得る。これを通じて、第１状態で観察方向（Ｖ）と右側方向（Ｒ）との間の方向に見ることによって、表示部（７３１）の像が見える領域を遮蔽領域（７２１ａＢ）に対応するブラインド部（Ｂ）で遮断することができる。また、第３面（７２１ｃ）に反射して見える表示部（７３１）の像が見える領域を遮蔽領域（７２１ａＢ）に対応するブラインド部（Ｂ）で遮断することができる。
【０１２１】
特定領域（７２１Ｔ）と遮蔽領域（７２１ａＢ）の境界は、屈折部（７２０）の高さ方向に平行に形成され得る。ここで、屈折部（７２０）の「高さ方向」というのは、表示方向（Ｄ）、観察方向（Ｖ）、右側方向（Ｒ）及び左側方向（Ｌ）に垂直な方向を意味する。特定領域（７２１Ｔ）と遮蔽領域（７２１ａＢ）の境界は、第１面（７２１ａ）の中央を基準として右側方向（Ｒ）に位置し得る。特定領域（７２１Ｔ）の面積は、遮蔽領域（７２１ａＢ）の面積より小さいこともある。特定領域（７２１Ｔ）と遮蔽領域（７２１ａＢ）の境界で第１面（７２１ａ）が左右に約２：１の比率で区分され得る。
【０１２２】
図９Ａ〜図９Ｃは、補助屈折部（７１９）が備えられていない実施例において、屈折部（７２０）及び表示部（７３１）を水平に切った断面概念図であって、図９Ａはメイン通路部（Ｐ２）に空気が満たされた状態での光の移動経路の例示を示し、図９Ｂ及び図９Ｃはメイン通路部（Ｐ２）にプライミング用液体が満たされた状態での光の移動経路の例示を示す。図９Ａ〜図９Ｃにおいて、ＬＲ、ＬＦ、ＬＤは光の経路を示し、光の経路（ＬＲ，ＬＦ）の図示において第１面（７２１ａ）上での屈折は省略する。
【０１２３】
屈折部（７２０）の屈折率（ｎｒ）は空気の屈折率（ｎａ）である１より大きい。前記プライミング用液体の屈折率（ｎｐ）も１より大きい。図９Ｂは屈折率（ｎｒ）が屈折率（ｎｐ）より大きい場合の光の経路を示し、図９Ｃは屈折率（ｎｒ）が屈折率（ｎｐ）より小さい場合の光の経路を示す。
【０１２４】
図９Ａを参照して、前記第１状態でメイン通路部（Ｐ２）には屈折率（ｎａ）の空気が満たされる。屈折部（７２０）は前記第１状態で第２面（７２１ｂ）で全反射された光（ＬＤ）が表示方向（Ｄ）に移動するように構成される。前記第１状態で第２面（７２１ｂ）の内面に入射される光の臨界角（ｃｒｉｔｉｃａｌ ａｎｇｌｅ）（Ａ１）は次の数式１を通じて求められる。
【０１２５】
【数１】
2021531896.tif 000003
【０１２６】
第２面（７２１ｂ）に垂直な仮想の法線（ｚ）に対してＡ１未満の角度（Ａｏ）で第２面（７２１ｂ）において屈折した光（ＬＲ）が移動する。具体的には、前記光（ＬＲ）は第２面（７２１ｂ）に入射角（Ａｉ）で入射して屈折角（Ａｏ）で屈折する。一方、法線（ｚ）に対してＡ１以上の角度で見れば、第２面（７２１ｂ）において屈折した光を見ることはできない。法線（ｚ）に対してＡ１を超える角度（ＦＡ）で、第２面（７２１ｂ）の内面に全反射された光（ＬＦ）が移動する。具体的には、第２面（７２１ｂ）の内面に反射角（θ）で全反射された光（ＬＤ）が表示方向（Ｄ）に移動する。
【０１２７】
ここで、法線（ｚ）と表示方向（Ｄ）がなす角は、第１面（７２１ａ）と第２面（７２１ｂ）がなす内角（θ）と同じである。従って、前記第１状態では第２面（７２１ｂ）で全反射された光（ＬＤ）が表示方向（Ｄ）に移動するように、内角（θ）がｓｉｎ−１（１／ｎｒ）以上である。ここで、屈折率（ｎｒ）を定義する式に変換すれば、屈折率（ｎｒ）は１／ｓｉｎθ以上である。
【０１２８】
図９Ｂを参照して、前記第２状態でメイン通路部（Ｐ２）には屈折率（ｎｐ）の前記プライミング用液体が満たされる。図９Ｂの屈折率（ｎｒ）が屈折率（ｎｐ）より大きい実施例で、屈折部（７２０）は前記第２状態で表示部（７３１）から始まった光（ＳＰ）のうち一部（ＬＤ）が第２面（７２１ｂ）で屈折し、表示方向（Ｄ）に移動するように構成される。前記第２状態で第２面（７２１ｂ）の内面に入射される光の臨界角（Ａ２）は次の数式２を通じて求められる。
【０１２９】
【数２】
2021531896.tif 000004
【０１３０】
第２面（７２１ｂ）に垂直な仮想の法線（ｚ）に対してＡ２未満の角度（Ａｏ）で第２面（７２１ｂ）において屈折した光（ＬＤ）が移動する。具体的には、前記光（ＬＤ）は、第２面（７２１ｂ）に入射角（Ａｉ）で入射して屈折角（Ａｏ）で屈折する。表示方向（Ｄ）に移動する光（ＬＤ）は、第２面（７２１ｂ）において屈折角（θ）で屈折した光である。一方、法線（ｚ）に対してＡ２以上の角度で見れば、第２面（７２１ｂ）で屈折した光を見ることはできない。法線（ｚ）に対してＡ２を超える角度（ＦＡ）で、第２面（７２１ｂ）の内面に全反射された光（ＬＦ）が移動する。具体的には、第２面（７２１ｂ）の内面に反射角（Ａ２）で全反射された光（ＬＦ）が表示方向（Ｄ）と右側方向（Ｒ）との間の方向に移動する。
【０１３１】
ここで、法線（ｚ）と表示方向（Ｄ）がなす角は、第１面（７２１ａ）と第２面（７２１ｂ）がなす内角（θ）と同じである。従って、前記第２状態では第２面（７２１ｂ）で屈折した光（ＬＤ）が表示方向（Ｄ）に移動するように、内角（θ）がｓｉｎ−１（ｎｐ／ｎｒ）未満である。屈折率（ｎｐ）が１.３３３である場合、内角（θ）がｓｉｎ−１（１．３３３／ｎｒ）未満である。ここで、屈折率（ｎｒ）を定義する式に変換すれば、屈折率（ｎｒ）はｎｐ／ｓｉｎθ未満である。屈折率（ｎｐ）が１.３３３である場合、屈折率（ｎｒ）は１．３３３／ｓｉｎθ未満である。
【０１３２】
図９Ｃを参照して、屈折率（ｎｒ）が屈折率（ｎｐ）より小さい実施例において、屈折部（７２０）は前記第２状態で表示部から始まった光（ＳＰ）のうち一部（ＬＤ）が第２面（７２１ｂ）で屈折し、表示方向（Ｄ）に移動するように構成される。しかし、図９Ｃの実施例では、図９Ｂの実施例とは異なり、第２面（７２１ｂ）の内面に入射される光の臨界角を求める必要がない。ここでは、屈折部（７２０）より前記プライミング用液体が密な媒質（屈折率が大きい媒質）であるので、第２面（７２１ｂ）の内面に入射される光は、全反射が発生しないためである。
【０１３３】
第２面（７２１ｂ）に垂直な仮想の法線（ｚ）に対して角度（θ）で第２面（７２１ｂ）において屈折した光（ＬＤ）が移動する。具体的には、前記光（ＬＤ）は、第２面（７２１ｂ）に入射角（Ａｉ）で入射して屈折角（Ａｏ）で屈折する。表示方向（Ｄ）に移動する光（ＬＤ）は、第２面（７２１ｂ）において屈折角（θ）で屈折した光である。
【０１３４】
ここで、法線（ｚ）と表示方向（Ｄ）がなす角は、第１面（７２１ａ）と第２面（７２１ｂ）がなす内角（θ）と同じである。図９Ｃの実施例において、前記第２状態では第２面（７２１ｂ）で屈折した光（ＬＤ）が表示方向（Ｄ）に移動するように、内角（θ）は９０゜未満でさえあればよい。本実施例には、屈折率（ｎｒ）が屈折率（ｎｐ）以下である場合に適用される。屈折率（ｎｐ）が１.３３３である場合、屈折率（ｎｒ）は１.３３３以下である。
【０１３５】
図９Ａ〜図９Ｃを通じて、上述の内容を結論として説明すると、次の通りである。内角（θ）はｓｉｎ−１（１／ｎｒ）以上である。屈折率（ｎｒ）が屈折率（ｎｐ）より大きい場合、内角（θ）はｓｉｎ−１（１／ｎｒ）以上ｓｉｎ−１（ｎｐ／ｎｒ）未満であり、屈折率（ｎｒ）が屈折率（ｎｐ）以下である場合、内角（θ）はｓｉｎ−１（１／ｎｒ）以上９０゜未満である。
【０１３６】
また、屈折率（ｎｒ）は１／ｓｉｎθ以上である。屈折率（ｎｒ）が屈折率（ｎｐ）より大きい場合、屈折率（ｎｒ）は１／ｓｉｎθ以上ｎｐ／ｓｉｎθ未満であり、屈折率（ｎｒ）が屈折率（ｎｐ）以下である場合、屈折率（ｎｒ）は１／ｓｉｎθ以上ｎｐ以下である。ｎｐ／ｓｉｎθよりｎｐが小さいので、２つの実施例を総合すれば、屈折率（ｎｒ）は１／ｓｉｎθ以上ｎｐ／ｓｉｎθ未満である。
【０１３７】
図１０は、補助屈折部（７１９）が備えられた実施例において、屈折部（７２０）、補助屈折部（７１９）及び表示部（７３１）を水平に切った断面概念図であって、光の移動経路の例示を示す。メイン通路部（Ｐ２）及び補助通路部（Ｐ３）の媒質の屈折率（ｎｘ）は、前記第１状態では屈折率（ｎａ）であり、前記第２状態では屈折率（ｎｐ）である。
【０１３８】
補助屈折部（７１９）は、１より大きい屈折率（ｎｒ′）を有する透明材質から形成される。補助屈折部（７１９）は、第２面（７２１ｂ）と表示部（７３１）との間に位置する。補助屈折部（７１９）は、第２面から離隔されて配置される。補助屈折部（７１９）は、表示部（７３１）と接触して配置されることもできるが、以下では補助屈折部（７１９）が表示部（７３１）と離隔されて配置されたものを基準として説明する。
【０１３９】
前記通路の一部は、第２面（７２１ｂ）と補助屈折部（７１９）との間に位置する。具体的には、メイン通路部（Ｐ２）は第２面（７２１ｂ）と補助屈折部（７１９）との間に位置する。補助通路部（Ｐ３）は補助屈折部（７１９）と表示部（７３１）との間に位置する。
【０１４０】
補助屈折部（７１９）が備えられた実施例でも、第２面（７２１ｂ）はメイン通路部（Ｐ２）と境界をなすところ、内角（θ）及び屈折率（ｎｒ）の範囲に関する説明は、図９Ａ〜図９Ｃを通じて上述した通りである。補助屈折部（７１９）が備えられた実施例では、光の移動経路に差があり、このような差異を中心に説明すると、次の通りである。
【０１４１】
図１０を参照して、表示部（７３１）から始まった光（ＳＰ）のうち一部（ＬＲ）が補助通路部（Ｐ３）と補助屈折部（７１９）の境界に入射角（Ａａ）で入射され、屈折角（Ａｂ）で屈折する。補助屈折部（７１９）の内部で移動する光（ＬＲ）は、補助屈折部（７１９）とメイン通路部（Ｐ２）の境界で入射角（Ａｂ）で入射され、屈折角（Ａｃ）で屈折する。メイン通路部（Ｐ２）の内部で移動する光（ＬＲ）は、メイン通路部（Ｐ２）と第２面（７２１ｂ）の境界で入射角（Ａｃ）で入射され、屈折角（Ａｄ）で屈折する。ここで、メイン通路部（Ｐ２）を満たす媒質と、補助通路部（Ｐ３）を満たす媒質が同じなので、前記入射角（Ａａ）は前記屈折角（Ａｃ）と等しくなり、結果的に前記入射角（Ａａ）は前記入射角（Ａｃ）と等しくなる。補助屈折部（７１９）を備えることによって、前記第１状態と前記第２状態での表示機能を発揮しながらも、第２面（７２１ｂ）に対する表示部（７３１）の相対的位置を自由にすることができ、前記通路の体積（メイン通路部及び補助通路部の体積）を減らすことができる。
【０１４２】
補助屈折部（７１９）の屈折率（ｎｒ′）は屈折部（７２０）の屈折率（ｎｒ）と同一であり得る。補助屈折部（７１９）の屈折率（ｎｒ′）は前記プライミング用液体の屈折率（ｎｐ）より大きいこともある。屈折率（ｎｐ）が１.３３３である場合、屈折率（ｎｒ′）は１.３３３より大きい。屈折率（ｎｒ′）が屈折率（ｎｐ）より大きいことによって、前記第２状態で観察方向（Ｖ）から見る時、表示部（７３１）の像（ｉｍａｇｅ）が結像する部分を左側方向（Ｌ）に移動させることができる。
【０１４３】
図１１は、他の実施例による屈折部（７２０′）を水平に切った断面概念図である。図９Ａ〜図１０の屈折部（７２０）の内角（θ）は６０゜であるが、図１１を参照して、屈折部（７２０′）の内角（θ）は６０゜より小さい角をなす。上述の内角（θ）の範囲を満たすならば、内角（θ）の大きさは６０゜より小さいこともあり、６０゜より大きいこともある。図１１は、いくつかの内角（θ）の実施例のうちいずれか１つの実施例に過ぎない。
【０１４４】
図１２は、更に他の実施例による屈折部（７２０″）を水平に切った断面概念図である。第１面（７２１ａ）及び第２面（７２１ｂ）が内角（θ）をなす。図９Ａ〜図１０を参照して、第１面（７２１ａ）及び第２面（７２１ｂ）が角を形成し合うことによって内角（θ）をなす。図１２を参照して、第１面（７２１ａ）の仮想の延長面及び第２面（７２１ｂ）の仮想の延長面が内角（θ）をなす。即ち、第１面（７２１ａ）及び第２面（７２１ｂ）が内角（θ）をなすということは、第１面（７２１ａ）及び第２面（７２１ｂ）が角を形成し合うだけでなく、第１面（７２１ａ）の仮想の延長面及び第２面（７２１ｂ）の仮想の延長面が内角（θ）をなすことまで包括することを意味する。
【０１４５】
以上、一部の実施例と添付の図面に示された例によって本開示の技術的思想が説明されたが、本開示の属する技術分野で通常の知識を有する者が理解できる本開示の技術的思想及び範囲を逸脱しない範囲で多様な置換、変形及び変更がなされ得るという点を理解すべきである。また、そのような置換、変形及び変更は、添付の請求の範囲内に属すると考えられるべきである。
【図１】
2021531896.tif 000005
【図２】
2021531896.tif 000006
【図３】
2021531896.tif 000007
【図４】
2021531896.tif 000008
【図５】
2021531896.tif 000009
【図６】
2021531896.tif 000010
【図７Ａ】
2021531896.tif 000011
【図７Ｂ】
2021531896.tif 000012
【図８】
2021531896.tif 000013
【図９Ａ】
2021531896.tif 000014
【図９Ｂ】
2021531896.tif 000015
【図９Ｃ】
2021531896.tif 000016
【図１０】
2021531896.tif 000017
【図１１】
2021531896.tif 000018
【図１２】
2021531896.tif 000019
【国際調査報告】
2021531896.tif 000020
2021531896.tif 000021